(57)【要約】【課題】スポット・パターンの寸法、角度を容易かつ確実に指定できる眼科レーザシステムを提供すること。【解決手段】網膜Ｒにレーザ光によるスポットパターンを照射して網膜列孔を治療するための走査型光凝固装置１である。光源アセンブリ２と、レーザ光を走査してスポット・パターンを形成するためのスキャナ・アセンブリ５２と、網膜Ｒ上にスポット・パターンを集光するレンズ７０、７２と、スキャナ・アセンブリ５２を制御するための制御部９１と、制御部９１に接続され、スポット・パターンの構成を表示するとともに、スポット・パターンが選択される複数の異なるパターン構成を表示可能な液晶表示装置９２と、スキャナ部が形成するスポット・パターンの種類及び大きさを指定するタッチパネル９５と、を備え、タッチパネル９５へのタッチ動作によってスポット・パターンのＸ，Ｙの差し渡し寸法（ｘ、ｙ）、及び角度（θ）を指定する。【選択図】図１
2018075157.tif 000002
【特許請求の範囲】
【請求項１】
標的組織を治療するための眼科レーザシステムであって、
レーザ光を生成する光源と、
前記レーザ光を走査して前記レーザ光のスポット・パターンを形成するためのスキャナ部と、
前記標的組織の上に前記スポット・パターンを集光する集光素子と、
前記スキャナ部を制御するための制御部と、
前記制御部に接続され、前記スポット・パターンの構成を表示するとともに、前記スポット・パターンが選択される複数の異なるパターン構成を表示可能なディスプレイ部と、
前記制御部に前記スキャナ部が形成する前記スポット・パターンの種類及び大きさを指定する指示入力部と、を備え、
前記スポット・パターンが一の方向に第１差し渡し寸法、前記一の方向に交差する他の方向に第２差し渡し寸法を備え、所定の角度方向が長手となる閉曲線形状であり、
前記指示入力部は、前記スポット・パターンの第１差し渡し寸法、前記第２差し渡し寸法、及び前記スポット・パターンの角度を指定可能であることを特徴とする眼科レーザシステム。
【請求項２】
前記指示入力部は前記スポット・パターンの前記第１差し渡し寸法と前記第２差し渡し寸法との比率を設定することを特徴とする請求項１に記載の眼科レーザシステム。
【請求項３】
前記指示入力部は、前記第１差し渡し寸法、及び前記第２差し渡し寸法を指定することを特徴とする請求項１に記載の眼科レーザシステム。
【請求項４】
前記指示入力部は、前記ディスプレイ部に配置されたタッチパネルであり、タップ、スワイプ、ピンチイン、ピンチアウトを含むタッチ動作により操作することを特徴とする請求項１から請求項３までの何れか一項に記載の眼科レーザシステム。
【請求項５】
前記指示入力部は、前記ディスプレイ部の一点を指定するポインティングデバイスであることを特徴とする請求項１から請求項３までの何れか一項に記載の眼科レーザシステム。
【請求項６】
前記指示入力部はキーボードであることを特徴とする請求項１から請求項３までの何れか一項に記載の眼科レーザシステム。
【請求項７】
前記スポット・パターンは、楕円、長円、及び卵形を含むオーバル形状であることを特徴とする請求項１から請求項６までの何れか一項に記載の眼科レーザシステム。
【請求項８】
前記スポット・パターンを構成する前記スポットが概ね一定の密度で配置されていることを特徴とする請求項１から請求項７までの何れか一項に記載の眼科レーザシステム。
【発明の詳細な説明】
【技術分野】
【０００１】
本発明は網膜光凝固を行うためレーザ光をスポット・パターンとして患部に照射する眼科レーザシステムに関する。
【背景技術】
【０００２】
現在、糖尿病性網膜症及び加齢性黄斑変性症などの疾患は可視レーザ光を用いる光凝固治療の対象である。この型の可視レーザ光治療は本来の疾患の進展を停止するが、問題を有する可能性がある。例えば、この治療は、眼を可視レーザ光に長時間（普通１００ｍｓ程度）曝すので、患者の感覚網膜に、発生する熱による損傷が起こる可能性がある。治療中、熱は主に網膜の色素上皮（ＲＰＥ）において発生するが、これは感覚網膜の光受容体の直下の網膜のメラニン含有層である。光はＲＰＥ内で吸収されるが、この型の治療は上を覆う感覚網膜を不可逆的に損傷して患者の視野に悪影響を及ぼす。
【０００３】
また、他の治療においては、網膜に対して多数回のレーザ照射を必要とし、患者は退屈であり、また時間がかかる。そのような治療は、所定量の時間、標的組織に照射されるレーザ・ビーム・スポットの形での各々の照射量の照射を必要とする。医師は、各々のレーザ・ビーム・スポットを、永久的な損傷を起こし得る眼球の敏感部分から離して適切に位置決めすることを確実にする責任がある。更に治療は、標的組織をむらなく治療するために数百のレーザ・ビーム・スポットを必要とする可能性があるので、全治療時間は相当に長くなる可能性があり、全ての標的組織範囲のむらがない適切な治療を確実にするために卓越した医師の技能が必要となる。
【０００４】
網膜光凝固に要する治療時間を短縮するために、スポット・パターンの様式で自動的に多数のレーザ・スポットを照射し、その結果、標的組織の範囲が、パターン様式で組織上に予め位置決めされた多数のスポットにより効率的に治療されるようにする、システム及び方法が提案されている（例えば、特許文献１参照）。しかし、パターン様式の多数のビーム・スポットの迅速な送出は新しい問題を起こす。例えば、パターン内の隣接するビーム・スポットの迅速で連続的な送出により局所的な加熱が起こる可能性がある。更に、より良好な除外区域及びビーム・スポット密度の制御（均一密度及び可変密度の両方に対して）、及びグラフィック・ユーザ・インターフェースによる良好なシステム制御を提供するために、様々なパターンが必要になる。
【０００５】
現状では、網膜疾患部の裂孔用パターン（非対称型パターン）は三重の真円を用いて治療を行っているが、実際の疾患部の裂孔はほとんどが楕円である、このため、複数の円弧等で囲み治療を行っている。しかしながら、複数の円弧等で囲み治療を行うと煩雑で手間を要するため、別の方法が要望されていた。
【０００６】
従来、楕円型パターンでレーザ照射を行う眼科レーザシステムも知られている。しかし、網膜疾患部に合致するパターンレーザ照射は行われていなかった。そこで、楕円型パターン（非対称型パターン）を用い、必要があれば複数の楕円型パターン（非対称型パターン）等で囲み治療を行うことで、治療の効率をあげることができる（特許文献２参照）。
【先行技術文献】
【特許文献】
【０００７】
【特許文献１】米国特許公開公報第２００６／０１００６７７号公報
【特許文献２】特許５１９２３８３号公報
【発明の概要】
【発明が解決しようとする課題】
【０００８】
上述した眼科レーザシステムにおいては、スポット・パターンは、治療の対象とする網膜列孔の大きさ、角度に合致したものとする必要がある。また、網膜列孔は線状であるため、これを囲む治療を行うと、スポット・パターンは短軸、長軸を有する楕円や長円とする必要があり、更に長軸が傷の方向と一致していることが望ましい。このため、長軸、短軸の寸法と長軸の角度を容易かつ確実に指定できる眼科レーザシステムが望まれる。
【０００９】
しかし、上述した従来の眼科レーザシステムは、予め準備された複数のパターンから選択して指定することはできるものの、スポット・パターンの寸法、即ち長軸及び短軸の寸法、長軸の角度を簡単に指定することができない。
【００１０】
本発明は上述した課題に鑑みてなされたものであり、スポット・パターンの寸法、角度を容易かつ確実に指定できる眼科レーザシステムを提供することを目的とする。
【課題を解決するための手段】
【００１１】
前記課題を解決する請求項１に記載の発明は、標的組織を治療するための眼科レーザシステムであって、レーザ光を生成する光源と、前記レーザ光を走査して前記レーザ光のスポット・パターンを形成するためのスキャナ部と、前記標的組織の上に前記スポット・パターンを集光する集光素子と、前記スキャナ部を制御するための制御部と、前記制御部に接続され、前記スポット・パターンの構成を表示するとともに、前記スポット・パターンが選択される複数の異なるパターン構成を表示可能なディスプレイ部と、前記制御部に前記スキャナ部が形成する前記スポット・パターンの種類及び大きさを指定する指示入力部と、を備え、前記スポット・パターンが一の方向に第１差し渡し寸法、前記一の方向に交差する他の方向に第２差し渡し寸法を備え、所定の角度方向が長手となる閉曲線形状であり、前記指示入力部は、前記スポット・パターンの第１差し渡し寸法、前記第２差し渡し寸法、及び前記スポット・パターンの角度を指定可能であることを特徴とする眼科レーザシステムである。
【００１２】
同じく請求項２に記載の発明は、請求項１に記載の眼科レーザシステムにおいて、前記指示入力部は前記スポット・パターンの前記第１差し渡し寸法と前記第２差し渡し寸法との比率を設定することを特徴とする。
【００１３】
同じく請求項３に記載の発明は、請求項１に記載の眼科レーザシステムにおいて、前記指示入力部は、前記第１差し渡し寸法、及び前記第２差し渡し寸法を指定することを特徴とする。
【００１４】
同じく請求項４に記載の発明は、請求項１から請求項３までの何れか一項に記載の眼科レーザシステムにおいて、前記指示入力部は、前記ディスプレイ部に配置されたタッチパネルであり、タップ、スワイプ、ピンチイン、ピンチアウトを含むタッチ動作により操作することを特徴とする。
【００１５】
同じく請求項５に記載の発明は、請求項１から請求項３までの何れか一項に記載の眼科レーザシステムにおいて、前記指示入力部は、前記ディスプレイ部の一点を指定するポインティングデバイスであることを特徴とする。
【００１６】
同じく請求項６に記載の発明は、請求項１から請求項３までの何れか一項に記載の眼科レーザシステムにおいて、前記指示入力部はキーボードであることを特徴とする。
【００１７】
同じく請求項７に記載の発明は、請求項１から請求項６までの何れか一項に記載の眼科レーザシステムにおいて、前記スポット・パターンは、楕円、長円、及び卵形を含むオーバル形状であることを特徴とする。
【００１８】
同じく請求項８に記載の発明は、請求項１から請求項７までの何れか一項に記載の眼科レーザシステムにおいて、前記スポット・パターンを構成するスポットが概ね一定の密度で配置されていることを特徴とする。
【発明の効果】
【００１９】
本発明に係る眼科レーザシステムによれば、治療すべき損傷に対応した形状のスポット・パターンの寸法及び角度を容易かつ適正に指定できる。
【００２０】
即ち、請求項１に記載の眼科レーザシステムによれば、指示入力部によりスポット・パターンの第１差し渡し寸法、前記第２差し渡し寸法、及び前記スポット・パターンの角度を指定可能であるので、スポット・パターンの寸法、角度を容易に指定できる。
【００２１】
また、請求項２に記載の眼科レーザシステムによれば、指示入力部によりスポット・パターンの第１差し渡し寸法と第２差し渡し寸法との比率を設定することができ、スポット・パターンの寸法、角度を容易に指定できる。
【００２２】
また、請求項３に記載の眼科レーザシステムによれば、指示入力部により第１差し渡し寸法、及び第２差し渡し寸法を指定することができるので、スポット・パターンの寸法、角度を容易に指定できる。
【００２３】
また、請求項４に記載の眼科レーザシステムによれば、指示入力部がディスプレイ部に配置されたタッチパネルであり、タップ、スワイプ、ピンチイン、ピンチアウトを含むタッチ動作により操作することができるので、スポット・パターンの寸法、角度をタッチパネルの操作により容易かつ直感的に指定できる。
【００２４】
また、請求項５に記載の眼科レーザシステムによれば、指示入力部がディスプレイ部の一点を指定するポインティングデバイスであるので、スポット・パターンの寸法、角度をポインティングデバイスの操作で容易かつ直感的に指定できる。
【００２５】
また、請求項６に記載の眼科レーザシステムによれば、指示入力部がキーボードであるので、スポット・パターンの寸法、角度を容易かつ厳密に指定できる。
【００２６】
更に、請求項７に記載の眼科レーザシステムによれば、スポット・パターンが楕円、長円、卵形を含むオーバル形状であるので、網膜列孔の周囲を効率的に照射できる。
【００２７】
そして、請求項８に記載の眼科レーザシステムによれば、スポット・パターンを構成するスポットが概ね一定の密度で配置されているので、網膜列孔の周囲を均等に照射できる。
【図面の簡単な説明】
【００２８】
【図１】本発明の実施形態に係る眼科レーザシステムである走査型光凝固装置の構成を示すブロック図である。
【図２】同走査型光凝固装置における網膜列孔に照射する光パターンのスポット・パターンを示す模式図である。
【図３】同スポット・パターンの指定について説明する模式図である。
【図４】同スポット・パターンの他の形状例を示す模式図である。
【図５】同走査型光凝固装置の処理を示すフローチャートである。
【発明を実施するための形態】
【００２９】
本発明を実施するための形態に係る眼科レーザシステムについて説明する。以下、眼科レーザシステムとして走査型光凝固装置について説明する。図１は本発明の実施形態に係る眼科レーザシステムである走査型光凝固装置の構成を示すブロック図である。眼科レーザシステムである走査型光凝固装置１は、患者の網膜Ｒの上に、照準又は治療スポット・パターンを生成し照射する。走査型光凝固装置１は光源アセンブリ２及びスリット・ランプ・アセンブリ３を含んで構成される。
【００３０】
光源アセンブリ２は、治療を行うためのレーザ光である治療ビーム１４を生成する治療光源１２、及び照準を行うための照準ビーム１８を生成する照準光源１６を含む。治療光源１２からの治療ビーム１４は、最初にレンズ２０により調整される。このレンズ２０は、射出光が曲面鏡２２と組み合わせて用いられて光学ファイバ束２４に入射するように治療ビーム１４を調整する。レンズ２０に入射した後、治療ビーム１４は部分的反射鏡２６によりサンプリングされる。
【００３１】
部分的反射鏡２６により反射された光は、治療ビーム１４の出力パワーをモニタして治療光源１２が所望の出力で動作していることを保証するフォトダイオード２８の入力として用いられる。鏡３０は治療ビーム１４を曲面鏡２２に向けるのに用いられ、曲面鏡２２は治療ビーム１４を可動鏡３２に向ける。照準光源１６からの照準ビーム１８は鏡３４及び３６を介して可動鏡３２に向けられる。
【００３２】
可動鏡３２はガルバノスキャナ上に取り付けることが好ましく、治療ビーム１４、照準ビーム１８を、任意の所与の時間に、光学ファイバ束２４の光学ファイバ２４ａ、２４ｂ、２４ｃ、２４ｄの内の１つに選択的に向けるように移動させる。なお、ガルバノスキャナに代えてピエゾ・アクチュエータ又は他の周知の光学移動デバイスにより移動させることができる。
【００３３】
そしてその際、レンズ４２、４４は治療及び治療ビーム１４、照準ビーム１８を選択された光学ファイバ内に集光する。可動鏡３２は、レンズ２０から１焦点距離分だけ離して、テレセントリック走査条件をもたらすことが好ましい。なお、治療ビーム１４を全ての光学ファイバ２４ａ〜２４ｄに平行経路で注入することを可能にし、これが光学ファイバ束にわたる発射開口数を維持する。光学ファイバ２４ａ〜２４ｄに隣接してビーム・ダンプ３８、４０が配置され、このビーム・ダンプ３８、４０が治療ビーム１４を「待機位置」の保持することに寄与する。
【００３４】
光学ファイバ２４ａ〜２４ｄは、光源アセンブリ２からの治療及び治療ビーム１４、照準ビーム１８をスリット・ランプ・アセンブリ３に伝える。付加的な光学ファイバ４６は、治療及び／又は治療ビーム１４、照準ビーム１８を、エンドプローブ又はレーザ間接検眼鏡（図示せず）などの他の手段を介して患者に向けるのに用いることができる。
【００３５】
スリット・ランプ・アセンブリ３は、光学ファイバ２４ａ〜２４ｄを受け入れる光学ファイバ入力部５０、スキャナ部であるスキャナ・アセンブリ５２、送出アセンブリ５４、及び双眼鏡アセンブリ５６を備えている。光学ファイバ入力部５０は光学ファイバ２４ａ〜２４ｄの各々に特有の光学調整システムを備え、その結果各々の光学ファイバが、スリット・ランプ・アセンブリ３の画像平面ＩＰに特定の（好ましくは独特の）スポット・サイズを作れるようにすることが好ましい。
【００３６】
例えば、光学ファイバ２４ａからの光は、初めに、光をコリメートするレンズ５８ａ、次いで、光ビームの中央部分以外を全て覆うことにより有効開口数を減らすアパーチャ６０に出会う。光学ファイバ２４ｂ乃至２４ｄからの光は初めに、それぞれレンズ５８ｂ乃至５８ｄに出会う。レンズ５８ｂ〜５８ｄは画像平面ＩＰにおいて、続いて標的組織（網膜）において、異なるスポット・サイズを形成するように構成されることが好ましい。
【００３７】
図示された実施形態においては、光学ファイバ２４ａ及び２４ｂは同じコア直径を有するが、異なるレンズ５８ａ及び５８ｂを用いて異なるスポット・サイズを形成するようにさせられる。光学ファイバ２４ｃ及び２４ｄは異なるコア直径を有する。全ての光学ファイバが同じ開口数で光を伝えることが好ましい。なお、この構成は必須ではない。従って、動作開口数をこれらの異なるチャネルに対して等しく保つために、レンズ５８ｂ、５８ｃ、５８ｄに対するレンズ５８ａの光出力の変化を打ち消すようにアパーチャ６０が用いられる。
【００３８】
各々の光学ファイバ２４ａ〜２４ｄの光出力は、付随の光学システム（例えば、レンズ５８ａ〜５８ｄ、アパーチャ６０等）による調整の後、２つのガルバノスキャナ６６、６８（ピエゾ・アクチュエータなどの任意の周知の光学移動デバイスを使用することができるが）に取り付けられた２つの可動鏡６２、６４を備えたスキャナ・アセンブリ５２に向けられる。可動鏡６２、６４は、２つの直交軸内で回転して入射光を走査（即ち、移動）し、任意の所望の光パターンＰを形成するように構成される。
【００３９】
可動鏡６２は回転して、光学ファイバ２４ａ〜２４ｄの任意の所与の１つからの光をスリット・ランプ・アセンブリ３の残りの部分に向け直すことができ、従って、光学ファイバからの出力を「選択する」と同時に、他の光学ファイバからのあらゆる光がスリット・ランプ・アセンブリ３全体にわたって存続することを妨げるように動作する。光学ファイバ２４ａ〜２４ｄの出力端は一致しないので、可動鏡６２は所望の光学ファイバからの光を遮断してその光を可動鏡６４に送るために回転する必要があり、可動鏡６４は直交軸内で光を更に移動させることができる。
【００４０】
この構成は、選択されない光学ファイバにより送出され得る何らかの迷光がシステムから出ることを防止するという付加的な利点を有する。図１において、光学ファイバ２４ｂが選択されたファイバとして描かれ、そこでこのファイバの出力は可動鏡６２、６４により走査されて、システムの残り部分にわたって進む光の走査パターンを形成する。
【００４１】
スキャナ・アセンブリ５２を出た、治療光源１２及び／又は照準光源１６で走査された光パターンＰは、送出アセンブリ５４を通過するが、このアセンブリは、集光手段であるレンズ７０（画像平面ＩＰに中間走査パターンを生成する）、レンズ７２（眼球に集光するように光パターンを調整する）、鏡７４（光パターンを標的眼球組織の方向に向ける）、レンズ７６（無限遠補正顕微鏡対物レンズであることが好ましい）及びレンズ７８（光パターンＰを網膜Ｒなどの標的眼球組織上に最終的に集光させるコンタクトレンズであることが好ましい）を備える。照明光源８０（例えばハロゲン電球）は、標的眼球組織である網膜Ｒを照明するために用いて、医師が標的眼球組織を見ることができるようにする。
【００４２】
ユーザである医師は、双眼鏡アセンブリ５６により網膜Ｒを直接見ることができる。この双眼鏡アセンブリ５６は、拡大光学素子（例えば、標的眼球組織の画像を、好ましくは調節可能な仕方で拡大するために用いられる１つ又はそれ以上のレンズ）、眼球安全フィルタ８４（潜在的に有害なレベルの光がユーザの眼に達することを防止し、そして明所視的に中立の透過率をもたらす色バランス型とすることができる）、光学素子８６、及び接眼レンズ８８を備える。
【００４３】
光パターンＰは、制御部９１の制御により、治療光源１２及び照準光源１６からの治療ビーム１４、照準ビーム１８を用いて、最終的に患者の網膜Ｒの上に生成される。光パターンＰは、網膜Ｒにスポット・パターンを描く。制御部９１は、入出力インターフェース９０によりシステムの各部に接続され、これらの各部を監視及び／又は制御する。
【００４４】
例えば、制御部９１は、フォトダイオード２８を治療ビーム１４が所望の出力レベルで生成されることを確実にするために監視する。また制御部９１は、治療光源１２、照準光源１６のスイッチをオン／オフする、出力レベルを設定するなどの操作、可動鏡３２を治療及び／又は治療ビーム１４、照準ビーム１８に対してどの光学ファイバを用いるかを選択するために操作する。そしてガルバノスキャナ６６、６８の方向を制御して、標的眼球組織の上に所望の光パターンＰを生成する。
【００４５】
制御部９１は、制御部としてＣＰＵ(Central Processing Unit)、主記憶装置としてＲＯＭ（ReadOnly Memory）、（Random Access Memory）、補助記憶装置としてＨＤＤ（Hard Disc Drive）を備え、ＣＰＵによりプログラムを実行する。制御部９１には、ディスプレイ部として液晶表示装置（ＬＣＤ）９２が接続されている。また、制御部９１には、指示入力部として、キーボード９３、マウスやジョイスティック等のポインティングデバイス９４、指やスタイラスペンを接触することで入力できるタッチパネル９５が接続されている。タッチパネル９５は液晶表示装置９２の表面にタッチパネルを配置している。
【００４６】
キーボード９３、ポインティングデバイス９４、タッチパネル９５から例えば送出スポット・サイズ及びパターン、パルス時間幅、及び治療光源１２及び照準光源１６からの光出力など、に関する命令を出する。粗調整のためのユーザによるスリット・ランプ・アセンブリ３の物理的な移動に加えて、標的組織上の光パターンＰの最終的な微調整は、可動鏡６２、６４が光ビームを走査するときに回転角を変えてパターン全体を標的組織上に移動させるようにするポインティングデバイス９４やタッチパネル９５を用いて更に制御することができる。この方法は、走査ビームの配置の非常に微細な制御を実現する。
【００４７】
ポインティングデバイス９４として付加的な入力デバイスを追加できる。この追加の入力デバイスとして、治療光源１２、照準光源１６の出力を調節するノブ、照準パターン及び／又は治療パターンの照射を起動するためのフットスイッチ又は他の起動デバイスなどを含めることができる。治療光源１２、照準光源１６の光出力の最終的な配置は、患者の網膜Ｒに発生した網膜列孔の周囲をかも形状に光パターンＰを生成することである。
【００４８】
次に光パターンＰが描くスポット・パターンについて説明する。光パターンＰは、基本的には分離した、均一なサイズかつ均一な間隔の固定スポットの列で形成される。ユーザはキーボード９３、ポインティングデバイス９４、タッチパネル９５よるＧＵＩを用いて、スポット・サイズ、スポット間隔（即ち、スポット密度）、スポットの総数、パターンのサイズ及び形、出力レベル，パルス時間幅など、多くのパターン変数を選択、変更、及び／又は規定することができる。
【００４９】
これに応答して、制御部９１は、治療光源１２（パルス光源と想定して）又は付加的に治療ビーム１４に沿った何処かにあるシャッタ機構（図示せず）を制御してパルス治療光を生成する。可動鏡６２、６４はパルスの間に移動し、各々のパルスを別々の位置に向けて静止スポットを形成する。
【００５０】
図２は網膜列孔に照射するスポット・パターンを示す模式図である。このパターン１００は、多数のドット１０１が網膜列孔１１０の周囲を３列に囲っている。パターン１００形状は網膜列孔１１０を治療するために最も効果的な形状が選択される。例えばパターン１００として楕円形を指定した場合、図３に示すように、長径がＹ軸となす角度θ（角度方向）、Ｙ方向の差し渡し寸法ｙ（第１差し渡し寸法）、Ｘ方向の差し渡し寸法ｘ（第２差し渡し寸法）を指定することによりその形状が指定できる。なお、この指定としてｘ、ｙの比率を設定することで指定することができる。
【００５１】
これらの値（ｘ，ｙ，θ）は、キーボード９３から入力することができるが、本実施形態では、タッチパネル９５越しに液晶表示装置９２に表示されたパターンに指を、タッチパネル９５にタッチ動作して操作し、ｘ、ｙを設定することができる。また、θについても２本の指でタッチしたまま、２本の指を回動させることにより指定できる。
【００５２】
タッチパネルへの入力は、画面上を指１本で触れて、そのまま上下左右どちらかの方向に滑らせるスワイプ、画面上のメニューやアイコンやリンクを指１本で触る「タップ」、画面上を指２本で触れて、その指と指の距離を縮めたり、拡げたりする「ピンチイン」、「ピンチアウト」により行う。
【００５３】
スポット・パターンの形状としては、叙述した楕円以外を網膜列孔１１０の状態によって選択する。図４は網膜列孔に照射するスポット・パターンの形状例を示す模式図である。図４（ａ）に示す長円形１２０や、同図（ｂ）に示す各種の卵形１３０、１４０、１５０等のオーバル形状を予め、制御部９１に格納しておき、これらの形状を液晶表示装置９２に表示しておき、タッチパネル９５で選択する。なお、スポット・パターンとしては、上述した形状以外の閉曲線を設定することができる、そして、タッチパネル９５を操作して、大きさや角度を設定する。以上により、網膜裂孔の大きさ、角度に適合したドット・パターンを選択して、治療の効率をあげることができる。
【００５４】
次に本実施形態に係る走査型光凝固装置１による網膜列孔の治療手順について説明する。図５は同走査型光凝固装置の処理を示すフローチャートである。先ず、ユーザは患者の網膜列孔の状態を把握する（ステップＳＴ１）。そして、走査型光凝固装置１のキーボード９３、ポインティングデバイス９４、又はタッチパネル９５を操作して、液晶表示装置９２上に使用可能なスポット・パターンを表示する（ステップＳＴ２）。そして、ユーザはタッチパネル９５を操作して使用するスポット・パターンを選択する（ステップＳＴ３）。次いで、タッチパネル９５をピンチイン、ピンチアウト等の操作を行い、パターン１００の（ｘ、ｙ、ｚ）を設定する（ステップＳＴ４）。これにより、網膜Ｒに照射する光パターンＰのスポット・パターンが確定する。
【００５５】
そして、このパターンを照準光源１６からの照準ビーム１８で網膜Ｒに照射して網膜列孔と重ねて表示する（ステップＳＴ５）。この状態を、ユーザは双眼鏡アセンブリ５６により、観察し、確認する（ステップＳＴ６）。光パターンＰが良好であれば、治療光源１２から治療ビーム１４を照射して指定したスポット・パターンでの光パターンＰを網膜Ｒに照射して治療を行う。もし、照準ビーム１８によるスポット・パターンが良好でない場合には、スポット・パターンの選択（ステップＳＴ２）からの処理を行う。
【００５６】
以上のように本実施形態に係る走査型光凝固装置１によれば、スポット・パターンの大きさや角度の設定を確実かつ簡単に行うことができる。
【符号の説明】
【００５７】
１：走査型光凝固装置
２：光源アセンブリ
１２：治療光源
１４：治療ビーム
１６：照準光源
１８：照準ビーム
２０：レンズ
２２：曲面鏡
２４：光学ファイバ束
２４ａ〜２４ｄ：光学ファイバ
６２：可動鏡
６４：可動鏡
６６：ガルバノスキャナ
６８：ガルバノスキャナ
７０、７２：レンズ
９０：入出力インターフェース
９１：制御部
９２：液晶表示装置
９３：キーボード
９４：ポインティングデバイス
９５：タッチパネル
１００：パターン
１０１：ドット
１１０：網膜列孔
【図１】
2018075157.tif 000003
【図２】
2018075157.tif 000004
【図３】
2018075157.tif 000005
【図４】
2018075157.tif 000006
【図５】
2018075157.tif 000007